(57)【要約】  本発明は、投げる、蹴る、打つ、およびシュートする動作と身体動作シーケンスの少なくとも一方の過程にあるスポーツをする人の注意を、感じることにより強く集中させる装置アセンブリに関連する。当該装置アセンブリは、送信器（Ｔｘ）を通じてシャッター眼鏡（１３）へ信号を送信する検出器（１４）を備えている。信号送信は、投げる動作、蹴る動作、打つ動作、シュートする動作、および身体動作シーケンスの少なくとも一つの開始時とこのようにして開始される移動フェーズ（１２）との間の選択可能なタイミングで行なわれる。シャッター眼鏡は、受信回路（Ｒｘ）を備えている。受信回路（Ｒｘ）は、信号を受信すると、シャッター眼鏡のレンズを高透明度から低透明度へ変換する。【選択図】図１
2018512912.tif 000002
【特許請求の範囲】
【請求項１】
投げること、蹴ること、打つこと、およびシュートすることの少なくとも一つを行なうための道具に対するコントロールと、身体動作シーケンスに対するコントロールとの少なくとも一方を向上するためのアセンブリであって、
送信器（Ｔｘ）を備えており、投げる動作、蹴る動作、打つ動作、およびシュートする動作の少なくとも一つの開始時に始まる選択可能なタイミングで信号の送信をトリガする検出器（１４）と、
受信回路（Ｒｘ）を有しており、自身の透明度を制御するシャッター眼鏡（１３）と、
を備えており、
前記受信回路（Ｒｘ）は、前記送信器（Ｔｘ）から前記信号を受信すると高透明度から低透明度への切り替えを制御する、
アセンブリ。
【請求項２】
投げること、蹴ること、打つこと、およびシュートすることの少なくとも一つを行なうための装置に対するコントロールと、身体動作シーケンスに対するコントロールとの少なくとも一方を向上するためのアセンブリであって、
送信器（Ｔｘ）を備えており、トレーニング道具の位置が変わる選択可能なタイミングで信号の送信をトリガする検出器（１４）と、
受信回路（Ｒｘ）を有しており、自身の透明度を制御するシャッター眼鏡（１３）と、
を備えており、
前記受信回路（Ｒｘ）は、前記送信器（Ｔｘ）から前記信号を受信すると高透明度から低透明度への切り替えを制御する、
アセンブリ。
【請求項３】
前記受信回路（Ｒｘ）は、前記シャッター眼鏡（１３）の高透明度から低透明度への切り替えを連続的に制御する、
請求項１または２に記載のアセンブリ。
【請求項４】
前記受信回路（Ｒｘ）は、前記シャッター眼鏡（１３）の高透明度から低透明度への切り替えの後、設定可能な遅れを伴って高透明度への切り替え戻しを行なう、
請求項１から３のいずれか一項に記載のアセンブリ。
【請求項５】
前記シャッター眼鏡（１３）のレンズ（１３ａ、１３ｂ）は、紫外線フィルタを備えている、
請求項１から４のいずれか一項に記載のアセンブリ。
【請求項６】
前記検出器（１４）は、動き検出器である、
請求項１から５のいずれか一項に記載のアセンブリ。
【請求項７】
前記動き検出器は、カメラであり、
前記カメラは、ボールの飛行フェーズの第一部分までの動作シーケンスと記憶されたシーケンスとを、デジタル画像処理を通じて比較し、所定の合致が生じたとき、あるいは生じた場合に前記信号の送信をトリガする、
請求項６に記載のアセンブリ。
【請求項８】
前記動き検出器は、パッシブ光検出器である、
請求項６に記載のアセンブリ。
【請求項９】
前記動き検出器は、光バリア原理に基づくアクティブ検出器である、
請求項６に記載のアセンブリ。
【請求項１０】
前記動き検出器は、レーダ原理に基づくアクティブ検出器であり、具体的にはドップラレーダユニットである、
請求項６に記載のアセンブリ。
【請求項１１】
前記動き検出器は、動きの速度と方向の少なくとも一方の変化を記録する加速度センサである、
請求項６に記載のアセンブリ。
【請求項１２】
前記検出器（１４）は、打撃具（１１）の打撃面（１１ａ）、プレイヤーの足、またはプレイヤーの手がボールに当たったときに生じる音波パルスに反応し、前記信号の送信をトリガする音響検出器である、
請求項１から５のいずれか一項に記載のアセンブリ。
【請求項１３】
前記検出器（１４）は、機械的パルスを記録する振動検出器である、
請求項１から５のいずれか一項に記載のアセンブリ。
【請求項１４】
前記検出器（１４）は、表面に作用する力の変化を記録する圧力センサであり、具体的には、圧力の下降と上昇の少なくとも一方の完了時に反応する、
請求項１から５のいずれか一項に記載のアセンブリ。
【請求項１５】
前記検出器（１４）は、膨張や収縮に伴う要素の変化を記録する変形センサである、
請求項１から５のいずれか一項に記載のアセンブリ。
【請求項１６】
前記信号の送信は、前記送信器（Ｔｘ）により手動かつ無線でトリガされうる、
請求項１から１１のいずれか一項に記載のアセンブリ。
【請求項１７】
シャッター眼鏡（１３）と検出器（１４）を用いて、好ましくは請求項１から１６のいずれか一項に記載のアセンブリを通じて、身体パフォーマンスを向上するための方法であって、
前記検出器（１４）は、信号を前記シャッター眼鏡（１３）へ無線送信する送信器（Ｔｘ）を備えており、
前記シャッター眼鏡（１３）は、その結果として自身の透明度を、好ましくは一度、変化させる、
方法。
【請求項１８】
身体パフォーマンス向上のための、請求項１から１６のいずれか一項に記載のアセンブリ、自身の透明度を一度変化させるシャッター眼鏡（１３）、および検出器（１４）の使用であって、
ａ）投げること、ｂ）蹴ること、ｃ）打つこと、およびｄ）シュートすることの少なくとも一つを行なうための動作シーケンスとスポーツ用具を用いた動作シーケンスの少なくとも一方を備えている、
使用。
【発明の詳細な説明】
【技術分野】
【０００１】
本発明は、スポーツアプリケーションにも適用できるトレーニング装置アセンブリ、およびそれに適した方法に関連する。当該スポーツは、好ましくは、ゴルフ、テニス、野球などの打撃具を使って行なわれるボールゲームである。本発明は、特にボールコントロールを向上するためのアセンブリに関連する。
【背景技術】
【０００２】
・状況に応じた一連の投げる動き、蹴る動き、打つ動き、およびシュートする動きの少なくとも一つが、ボールに特定の軌道と初速を与えるために、打撃具を介して、あるいは足や手を直接用いて行なわれる。
・状況に応じた一連の身体の動きが特定のタイミングで開始され、さらなる動作を定めたり影響を与えたりする。
・状況に応じたスポーツ用具の相対位置の変更が、身体動作を通じて行なわれる。
これらは、絶え間ないトレーニングを通じてのみ達成や向上が可能である。
【０００３】
スポーツをする人は、ほぼ無意識に（自動的に）複雑な動作シーケンスをコントロールし、学習プロセスを通じてそれを徐々に修正あるいは改善する。学習プロセスの少なくとも一部は、視覚的に判断された実際のボールの挙動の所望のボールの挙動からのずれ、あるいは視覚的に判断された実際の身体の動きの所望の身体の動きからのずれに基づいている。また、学習プロセスの少なくとも一部は、特に触覚的フィードバックを通じてスポーツをする人が感得する動作シーケンスに基づいている。以下に列挙する場合において、そのような感得がなされる。
・打撃具の打撃面がボールをヒットしたとき、あるいはスポーツをする人の手や足にボールがあるとき
・特にジャンプによって身体が地面や所定の位置から離れたとき、あるいは身体が他のスポーツ用具から離れたとき
・身体動作を通じてスポーツ用具が静止位置から動かされたとき、動いているとき、あるいは加速されたとき
【０００４】
同様にしてほぼ自動的に行なわれるボールの視覚的追跡は、スポーツをする人の触覚への注意を幾らか奪う。そのため、トレーナーは、ボールコントロールを向上するために打撃動作や投げる動作が開始された後でプレイヤーに目を閉じるよう促すことが多い。
【０００５】
ある種のスポーツにおいては、ジャンプ、所望の動作シーケンスの開始、あるいはスポーツ用具の位置変更開始の前後に所定の動作が行なわれねばならない。ここでも同様に、ジャンプの後に目を閉じることによってトレーニング効果が向上されうるという現象が知られている。
【０００６】
しかしながら、この（繰り返される）目の開閉は、故意に行なわれることから、やはり注意を喚起する。スイス特許出願公開６８８９８１Ａ５号公報は、透明な眼鏡を開示している。当該眼鏡は、チームスポーツにおける使用が意図されており、ボールではなく対戦者やチームメイトに装着者の視覚的注意が集中できるように視野が制限されている。
【０００７】
米国特許第２０４５３９９Ａ号公報は、小窓の領域内のみが完全に透明である着色レンズを有するゴルフプレイヤー用の眼鏡を開示している。当該窓は、ショット時における頭の姿勢が正しいときにのみ当該ゴルフプレイヤーがボールを見ることができるように、レンズ内に配置されている。
【０００８】
独国実用新案２０２００８０１３７８２Ｕ１号公報において、傾きセンサとの組合せでシャッター眼鏡を用いることにより、例えばサッカープレイヤーの頭の姿勢を矯正することが知られている。シャッター眼鏡は、プレイヤーが例えばボールを見「下ろす」と当該プレイヤーの視野を制限する。
【０００９】
米国特許出願公開２０１１／０３１０３１８Ａ１号公報は、両液晶ディスプレイレンズが透明状態と半透明状態の間を同時に切り替え可能であり、当該切り替えの周波数とパルス−ポーズ比を調節可能なシャッター眼鏡を開示している。当該シャッター眼鏡は、ボールの軌道などを視覚的に追跡する際にスローモーション効果を模す機能を有する。
【００１０】
独国実用新案２０２０１１１０９７０２Ｕ１号公報は、チームスポーツのトレーニング用の液晶ディスプレイシャッター眼鏡を開示している。課題や効果は説明されていない。明細書の記載から具体的かつ技術的な教示を得ることはできない。
【００１１】
独国特許第４１３９２７５号公報は、モニタを備えたビデオカメラアセンブリを開示している。当該モニタは、眼鏡のようにゴルフプレイヤーの両目の前に配置される。当該ビデオカメラは、プレイヤーが自身の動作シーケンスをリアルタイムに見た結果とともに動画を当該モニタに送信する。すなわち、条件を感じることではなく見ることを狙いとしている。
【発明の概要】
【発明が解決しようとする課題】
【００１２】
本発明は、投げる動作、蹴る動作、打つ動作、シュートする動作の少なくとも一つを行なうスポーツをする人の注意、あるいは身体や使用されるスポーツ用具の所定の動作シーケンスの開始時におけるスポーツをする人の注意を、感じることにより強く集中させ、結果として学習やトレーニング効果を改善することを技術的手段により可能とするアセンブリを提供するという目的に基づいている。
【課題を解決するための手段】
【００１３】
この目的は、本発明に係るアセンブリにより、以下のものを通じて達成される。
・送信器を備えており、身体とスポーツ用具の少なくとも一方による投げる、蹴る、打つ、あるいはシュートする動作の開始時と、当該身体とスポーツ用具の少なくとも一方の飛行フェーズとの間における選択可能なタイミングで信号の送信をトリガする検出器
・受信器を有しており、自身の透明度を制御するシャッター眼鏡（受信器は、前記送信器からの信号を受信している間、高透明度から低透明度への切り替えを制御する）
【００１４】
念のため、上記米国特許出願公開２０１１／０３１０３１８Ａ１号公報におけるシャッター眼鏡の詳細な説明を参照する。ハードウェアとソフトウェアは先行技術だからである。受信回路と無線方式で（好ましくは標準化された送信技術で）通信する制御送信器についても同様である。
【００１５】
本願における「シャッター眼鏡」という用語は、液晶ディスプレイシャッター眼鏡に限定されるのではなく、その「レンズ」が電気信号を用いて高透明度と低透明度（すなわち高い不透明度）の間を切り替え可能である眼鏡を表す意味で用いられる。
【００１６】
シャッター眼鏡の受信回路へ送信器が信号を送信し、シャッター眼鏡の高透明度から低透明度への切り替えを行なわれるタイミングは、動作の開始とボールの自由飛行の間の時間内で設定されうる。ボールの自由飛行は、スポーツをする人やスポーツ用具による打撃や投げにより始まる。タイミングの選択は、動作検出の種別にも依存する。最も単純なケースにおいては、トレーナーが、動作の開始時あるいは動作中に、ボタンを介して信号の送信をトリガできる。あるいは、動作が検出される手法に応じて、スポーツ用具と身体の少なくとも一方の動作状態変化の検出にあたって送信器に遅延回路を設けることも有利である。当該遅延回路は、動作の検出後に所定の、あるいは調節可能な時間遅れを伴って信号を送信させる。これに加えてあるいは代えて、高透明度から低透明度への切り替えのトリガに対する遅延回路を受信回路に設けることも有利である。
【００１７】
しかしながら、本発明は、スポーツをする人の身体位置またはスポーツ用具の所定の向きからの変化が所定のタイミングで伴う他のスポーツにも用いられうる。
【００１８】
本発明は、具体的には、投げること、蹴ること、打つこと、およびシュートすることの少なくとも一つを行なうための動作とスポーツ用具の少なくとも一方に対するコントロールを向上するためのアセンブリに関する。
【００１９】
「低透明度」という用語は、この状態のシャッター眼鏡をつけたスポーツをする人が周囲（具体的にはスポーツ用具の軌道や自身の体動）を薄暗く見られること、あるいは視野が完全に暗転されることを意味する。
【００２０】
受信回路は、スポーツをする人の注意を運動感覚的および触覚的フィードバックから逸らす唐突な明転または暗転を回避するために、少なくとも高透明度から低透明度への切り替えを唐突にではなく連続的に制御できる。受信回路は、暗から明への逆の変化の制御も連続的にできる。これにより、グレア効果を抑制または回避する。
【００２１】
シャッター眼鏡の受信回路は、高透明度から低透明度への切り替え後に、設定可能な遅れをもって高透明度へ戻す切り替えができる。これに加えてあるいは代えて、シャッター眼鏡は、切り替え戻しを手動でトリガするためのボタンを備えうる。
【００２２】
低透明度から高透明度への切り替え戻しの瞬間は、スポーツをする人の瞳孔は拡がったままであるため、特に紫外線の照射に敏感である。そのため、シャッター眼鏡の観察窓（レンズ）は、紫外線フィルタを備えることが好ましい。紫外線フィルタは、例えば、紫外線吸収コーティングと紫外線反射コーティングの少なくとも一方の形態をとる。
【００２３】
シャッター眼鏡は、フィードバックチャネル送信器をさらに備えうる。前記送信器は、受信モジュールを備えうる。これにより、フィードバックチャネル送信器は、シャッター眼鏡の透明状態を送信器へ送信できる。この場合、シャッター眼鏡の透明状態に応じて、所定の期間、あるいは調節可能な期間、送信器をロック状態に設定できる。これにより、シャッター眼鏡の切り替えをトリガする周囲（近傍に位置する他のスポーツをする人など）からの妨害的影響を大幅に防ぐ。
【００２４】
本発明に係るアセンブリの検出器は、スポーツをする人やスポーツ用具の動作における所定のフェーズあるいは予め選択可能なフェーズに反応する動き検出器でありうる。
【００２５】
この動き検出器は、カメラでありうる。当該カメラは、ボールの飛行フェーズの第一部分までの動作シーケンスと記憶されたシーケンスとを、デジタル画像処理を通じて比較し、所定の合致が生じたとき、あるいは生じた場合に前記信号の送信をトリガする。
【００２６】
あるいは、前記動き検出器は、パッシブ光検出器でありうる。当該パッシブ光検出器は、各スポーツにマッチする限られた視野を有し、身体の動作とスポーツ用具の動作の少なくとも一方に係る可視域あるいは赤外域の受光放射強度に反応することが好ましい。また、スポーツの種別によっては、検出の信頼性を高めるために、材料（粘着フィルムなど）や特に高い反射率を有する色が手袋、靴、打撃具、およびボールの少なくとも一つに装着されうる。
【００２７】
別の実施形態においては、前記動き検出器は、光バリア原理（具体的には反射光バリアの形態）に基づいて動作するアクティブ検出器でありうる。使用される放射の種別によっては、検出信頼性は、パッシブ光検出器よりも高い。電力消費を低減するためには、パルス動作が推奨される。上述した反射材料の使用は、アクティブ検出器を用いる場合においても有用である。
【００２８】
別の実施形態においては、前記動き検出器は、レーダ原理に基づくアクティブ検出器であり、具体的には、ドップラレーダユニットでありうる。ボール、身体、あるいはスポーツ用具の軌道を追跡するドップラレーダユニットは、周知技術である。
【００２９】
別の実施形態においては、前記動き検出器は、加速度検出器でありうる。加速度検出器は、加速度検出器は、特に速度と方向の変化を捕捉しうる。加速度検出器としてピエゾ素子が使用されうる。一例として説明される加速度センサは、例えばハンドボールを投げる際の手の急速な傾きを記録するセンサとともに手袋に装着されうる。身体やスポーツ用具の速度と方向の変化を捕捉するこれらの検出器は、周知技術である。
【００３０】
特に簡易であるがゆえに低コストであり、多くの種別のスポーツに適している実施形態においては、前記動き検出器は、音響検出器である。音響検出器は、打撃具の打撃面、プレイヤーの足、またはプレイヤーの手がボールに当たったときに生じる音波パルスに反応し、シャッター眼鏡への信号送信をトリガする。そのような音響センサは、陸上競技場における踏み切り位置の隣に配置されうる。検出信頼性を高めるために、音響検出器は、双方向マイクを備えうる。これに加えてあるいは代えて、検出器は、フィルタ回路を備えうる。フィルタ回路は、ゴルフボールの打撃などに特徴的な叩くような音に同調されている。フィルタ回路は、受信した音声信号を電子的に処理するデジタル回路でありうる。デジタル回路は、当該信号を記録されたパターンと比較し、十分な合致が得られた場合に送信器による信号送信をトリガする。音響検出器の設置場所とスポーツをする人の位置との関係は、光検出器やレーダ検出器が使用される場合よりも厳密ではない。
【００３１】
別の構成においては、前記検出器は、振動検出器でもありうる。振動検出器は、ボールなどの物体が打撃具などのスポーツ用具に当たったときに生じる機械的パルスにより、信号の送信をトリガする。振動センサは、信号送信器とともにスポーツ用具に直接搭載されうる。この種のセンサは、特に速い衝突を伴い、スポーツ用具の軌道が毎回異なる類のスポーツにおいて広く使用される。例えば、野球におけるバットの軌道が前回と同じであることは稀である。この場合、先に列挙した検出器の例によっては、ボールとの衝突の瞬間を捉えることが難しくなる。
【００３２】
別の構成においては、前記検出器は、表面に作用する力の変化を記録する圧力センサでありうる。この種の検出器は、信号の送信を開始するために圧力が上昇する場合と下降する場合の双方に反応する。この種の検出は、例えばウェイトリフティングのようにスポーツ用具が持ち上げられる類のスポーツに使用される。ユーザによってスポーツ用具が地面から持ち上げられた瞬間、地面とスポーツ用具の間に配置された検出器に加わる圧力が変化し、シャッター眼鏡を暗くする信号を送信する。投げと蹴りの少なくとも一方を伴う類のスポーツへの応用も可能である。例えば槍投げ選手の手から槍を放たせると、手袋に装着された圧力センサが信号を送信する。砲丸投げやボーリングのようなスポーツについても同様に適用可能である。
【００３３】
別の構成においては、前記検出器は、伸縮変形を捉える抵抗変形センサや機械変形センサでありうる。当該センサは、身体部位やスポーツ用具に装着され、変形が電気抵抗の変化を引き起こす。当該センサは、例えばバスケットボールにおける手袋に装着されうる。この場合、当該センサは、投げるときの手の傾きを通じて所定の寸法変化があると信号をトリガしうる。また、歪みセンサが幅跳びの踏み切り位置に装着されうる。この場合、当該センサは、足が当該位置に触れると信号をトリガしうる。物体の変形を捕捉するこれらの技術は、周知である。
【００３４】
トリガ信号の検出は、スマートフォンなどのモバイル装置に内蔵された記録技術を通じて行なわれうる。検出されたトリガ信号は、同様に内蔵された信号送信素子によって送信される。
【００３５】
上記のような検出器の構造および動作原理、ならびに本発明に係る条件への適合法は、当業者によりある程度理解されており、当業者の専門知識の一部をなす。
【図面の簡単な説明】
【００３６】
ゴルフプレイヤーのトレーニングに適した本発明の実施形態例は、下記の図面において模式的に簡略化されている。
【００３７】
【図１】ゴルフボールを打つ第一のフェーズにおける本発明に係るアセンブリとその機能を示している。
【図２】ゴルフボールを打つ第二のフェーズにおける本発明に係るアセンブリとその機能を示している。
【図３】ゴルフボールを打つ第三のフェーズにおける本発明に係るアセンブリとその機能を示している。
【図４】上記アセンブリのブロック図を示している。
【発明を実施するための形態】
【００３８】
図１において、ゴルフプレイヤー１０は、ゴルフクラブ１１を介して行なわれる打撃動作の第一フェーズにある。ゴルフクラブ１１は、クラブヘッド１１ａを有しており、ゴルフボール１２（例示のために大きく描かれている）を狙っている。プレイヤー１０は、液晶ディスプレイシャッター眼鏡１３（例示のために大きく描かれている）を掛けている。レンズ１３ａ、１３ｂは、紫外線保護層を備えていることが好ましい。シャッター眼鏡１３は、レンズ１３ａ、１３ｂの透明度を制御するためのコンポーネントをテンプルに備えている。それ自体は公知であるため、図示しない（図４も参照されたい）。この動作フェーズにおいてグラス１３ａ、１３ｂは、高透明状態にある。例えばゴルフボール１２の側方に距離をおいて、移動可能な検出器１４が配置されている。ゴルフボール１２と検出器１４は、破線１４ａ上に並んでいる。検出器１４は、適当なスタンドに搭載される。検出器１４は、送信器を備えている（図４参照）。送信器は、破線１４ｂで示されるように、シャッター眼鏡１３へ信号を送信できる。検出器１４は、例えば、双方向マイク（不図示）を有する音響検出器である。本明細書の導入部で示したように、検出器１４は、例えば光検出器であってもよい。当該光検出器は、ゴルフボール１２かクラブヘッド１１ａにおける特定の位置と一直線上にあってもよいし、プレイヤー１０の靴と一直線上にあってもよい。クラブヘッド１１ａまたはプレイヤー１０の靴は、例えば自己粘着性を有する剥離可能なフィルム片を備えている。当該フィルム片は、検出信頼性を高めるために高い反射率を有している。検出器としてドップラレーダユニットを用いる場合、当該検出器は、ゴルフボールの側方には置かれず、ゴルフボールの軌道として想定されている方向の後方への延長線上に置かれる。
【００３９】
図２は、ゴルフボール１２が打たれようとする瞬間、すなわちクラブヘッド１１ａがゴルフボール１２に衝突する瞬間を示している。検出器１４は、その結果生じる音波パルスに反応し、シャッター眼鏡１３へ信号を送信する。シャッター眼鏡１３の受信・制御回路は、好ましくは連続的に、図示されるようにレンズ１３ａ、１３ｂを低透明状態に切り替える。結果として、プレイヤー１０は、その後のゴルフボール１２の軌道を視認できなくなる。
【００４０】
図２の背景には、トレーナーの姿が示されている。当該トレーナーは、小型のハンドヘルド送信器１５を、信号をシャッター眼鏡１３に送信するために使用できる。当該信号は、シャッター眼鏡１３により指定されたタイミングで送信され、低透明状態への切り替えを行なわせる。これは検出処理に代わる手法である。その場合、検出器１４は、ハンドヘルド送信器１５に同調された受信モジュールを備えうる。そして、ハンドヘルド送信器１５から信号を受信すると、検出器１４の送信器がシャッター眼鏡１３の切り替えを行なわせる。いずれのトリガが優先されるかは、スイッチにより選択可能である。
【００４１】
図３において、クラブ１１が振り抜かれてショットが完了すると、所定のあるいは設定可能な遅延時間をもって、シャッター眼鏡１３は、自動的に高透明状態に戻る（図の右側）。シャッター眼鏡１３は、ボタン（不図示）も備えうる。当該ボタンは、任意のタイミングでシャッター眼鏡１３を高透明状態に戻すためにプレイヤーによって操作されうる。
【００４２】
図４は、検出器１４とシャッター眼鏡１３に必須の電気部品を示す簡略化されたブロック図である。
【００４３】
検出器１４は、原則として、センサＳ（例えば双方向マイク）を備えている。本例において、センサＳは、破線１４ａで示されるようにゴルフボールと一直線上に位置する。センサＳの後段には処理回路Ｖがある。その出力は、送信器Ｔｘの入力に接続されている。図２に示されるゴルフボールの打撃により生じる音波パルスは、センサＳと処理回路Ｖを介して送信器Ｔｘを動作させる。これにより、破線１４ｂで示されるように、送信器Ｔｘの出力を通じて信号が送信される（図１から図３を参照）。送信器Ｔｘは、例えばＷｉＦｉ、ＲＦＩＤ、ブルートゥース、ＤＥＣＴ通信プロトコルなどに基づいて、あるいは別の周知の信号送信技術に基づいて動作しうる。処理回路Ｖは、切り替え可能な遅延回路を備えている。当該遅延回路は、必要に応じて、音波パルスの到来に対して時間遅れを伴って送信器Ｔｘを動作させる（あるいは、別の手法で検出される状態に移行する）。そのため、処理回路Ｖは、回路Ｓ１、Ｓ２、あるいはポテンショメータＰへの入力も備えうる。回路Ｓ１、Ｓ２は、それぞれ特定の遅延時間に対応している。ポテンショメータＰは、遅延時間を連続的に調節可能である。このようにして、トレーニング条件が変更されうる。送信器Ｔｘは、受信モジュールＥの出力からの入力を備えてもよい。受信モジュールＥは、図３に示されるトレーナーのハンドヘルド送信器１５からの信号に反応する。
【００４４】
図２を参照して説明した優先選択スイッチは、図示されていない。
【００４５】
シャッター眼鏡１３は、受信回路Ｒｘを備えている。受信回路Ｒｘは、後段に接続されている透明度制御回路Ｔｓを介してレンズ１３ａ、１３ｂの透明度を、送信器１４から受信した破線１４ｂで示される信号あるいはハンドヘルド送信器１５から受信した信号に応じて制御する。透明度制御回路Ｔｓは、高透明状態から低透明状態への切り替えを行ない、スイッチＳ３を介して選択あるいは調節可能な時間遅れを伴って低透明状態から高透明状態へ切り替え戻す。切り替え戻しは、シャッター眼鏡に設けられたボタンＴによってトリガされうる。
【００４６】
シャッター眼鏡１３と検出器１４は、ともにエネルギー源（一次電池や二次電池など）、オンオフスイッチ、および少なくとも一つのアンテナを備えている。これらの要素は周知であるため、図示されていない。
【図１】
2018512912.tif 000003
【図２】
2018512912.tif 000004
【図３】
2018512912.tif 000005
【図４】
2018512912.tif 000006
【図５】
2018512912.tif 000007
【国際調査報告】
2018512912.tif 000008
2018512912.tif 000009
2018512912.tif 000010
2018512912.tif 000011